(57)【要約】      （修正有）【課題】簡易な構成で被写体の顔部に均一な光を照射し、品質の高い顔写真が容易に取得でき、組立又は解体が容易である携帯式の撮影ブースを提供する。【解決手段】撮影ブース１は、被写体を収容する撮影ブースであり、筐体１０と光隔離用部材と光吸収用部材と第１の光散乱用部材と第２の光散乱用部材５０とグレーカード板６０とチンレスト部材７０とを備える。撮影ブースの筐体が、複数の柱状部材１０ａを組み立てることにより得られるので、撮影ブースの組立又は解体が容易であり、また、撮影用光源からの光が、第１の光散乱用部材及び第２の光散乱用部材によって撮影ブース内へ散乱される。それによって、撮影用光源からの光を撮影ブース内に均一に拡散し、被写体の顔部に均一な光が照射される。【選択図】図１
0003186163.tif 000002
【実用新案登録請求の範囲】
【請求項１】
被写体を収容する撮影ブースであって、
複数の柱状部材を組み立ててなる筐体と、
前記筐体の天井面、背面、及び２つの側面を覆って、前記撮影ブース外の光の前記撮影ブース内への入射を防止する光隔離用部材と、
前記筐体の前記天井面、前記筐体の前記床面、及び前記筐体の前記背面を覆うとともに、前記光隔離用部材よりも前記撮影ブース内側に設けられた光吸収用部材と、
前記筐体の前記２つの側面を覆うとともに、前記光隔離用部材よりも前記撮影ブース内側に設けられた第１の光散乱用部材と、
前記第１の光散乱用部材と傾斜して設けられ、前記天井面から前記床面まで伸びる第２の光散乱用部材とを備え、
前記第１の光散乱用部材と前記第２の光散乱用部材とで挟まれた空間に撮影用光源が設けられていることを特徴とする撮影ブース。
【請求項２】
前記筐体に掛けられたグレーカード板と、
前記撮影ブース内に設けられ、前記被写体の顔部を位置付けるためのチンレスト部材とをさらに備えることを特徴とする請求項１に記載の撮影ブース。
【請求項３】
前記光隔離用部材は、黒色の布からなり、
前記光吸収用部材は、灰色の布からなり、
前記第１の光散乱用部材及び前記第２の光散乱用部材が、白色の布からなることを特徴とする請求項１又は２に記載の撮影ブース。
【請求項４】
前記光隔離用部材の前記撮影ブース内側の表面に、光反射層が形成されていることを特徴とする請求項１又は２に記載の撮影ブース。
【請求項５】
前記撮影用光源は、クランプ式照明ランプであり、かつクランプを介して前記筐体に固定されていることを特徴とする請求項１又は２に記載の撮影ブース。
【請求項６】
前記撮影用光源は、光源用ホルダーと、前記光源用ホルダーに固定されている照明ランプとを備えることを特徴とする請求項１又は２に記載の撮影ブース。
【請求項７】
前記複数の柱状部材のうちの接合する２つの柱状部材は、一方の柱状部材の端部が他方の柱状部材に設けられた溝に嵌入されるように、互いに固定されていることを特徴とする請求項１又は２に記載の撮影ブース。
【請求項８】
前記筐体は、複数の補強柱状部材をさらに備え、
前記補強柱状部材が、前記筐体の前記天井面、前記背面、及び前記２つの側面の略中央に設けられ、
前記補強柱状部材は、前記補強柱状部材の端部が前記柱状部材に設けられた溝に嵌入されるように前記筐体に固定されていることを特徴とする請求項１又は２に記載の撮影ブース。
【請求項９】
前記柱状部材及び前記補強柱状部材は、中空であることを特徴とする請求項８に記載の撮影ブース。
【請求項１０】
前記柱状部材及び前記補強柱状部材は、アルミニウムからなることを特徴とする請求項８に記載の撮影ブース。
【請求項１１】
前記光吸収用部材は、１０〜３０％の光反射率を有することを特徴とする請求項１又は２に記載の撮影ブース。
【請求項１２】
前記光吸収用部材は、１８％の光反射率を有することを特徴とする請求項１又は２に記載の撮影ブース。
【考案の詳細な説明】
【技術分野】
【０００１】
本考案は、撮影ブースに関するものである。
【背景技術】
【０００２】
従来より、肌の実際の状態の診断等に使用される顔撮影装置において、被写体を収容し且つ標準な撮影環境を提供できる撮影ブースが利用される。すなわち、撮影ブース内の被写体に向けて、撮影用光源から被写体の顔に光を照射し、デジタルカメラ等によって、被写体の顔を同時に撮影することにより、撮影した画像（顔写真）が取得される。
【０００３】
品質の高い顔写真を取得するために、撮影の際に被写体に向けて均一な光を照射することが必要である。そのため、撮影用光源に対する要求が高くなる。通常、撮影用光源である大型且つ専門の光源アセンブリーが使用されている。しかし、そのような光源は、コストが高く、また、軽量ではなく、携帯し難いという問題等がある。
【０００４】
また、様々な設置場所で撮影ブースを利用できるように、撮影ブースを容易に組立又は解体できることが必要である。そしてまた、解体された撮影ブースの構成部品を容易に携帯できるために、それらの構成部品の軽量化が望ましい。
【考案の概要】
【考案が解決しようとする課題】
【０００５】
本考案は、上記の問題に鑑みてなされたものであり、簡易な構成で被写体の顔部に均一な光を照射し、品質の高い顔写真が容易に取得でき、組立又は解体が容易である携帯式の撮影ブースを提供することである。
【課題を解決するための手段】
【０００６】
上記の問題点を解決するために、本考案に係る撮影ブースは、被写体を収容する撮影ブースであって、複数の柱状部材を組み立ててなる筐体と、前記筐体の天井面、背面、及び２つの側面を覆って、前記撮影ブース外の光の前記撮影ブース内への入射を防止する光隔離用部材と、前記筐体の前記天井面、前記筐体の床面、及び前記筐体の前記背面を覆うとともに、前記光隔離用部材よりも前記撮影ブース内側に設けられた光吸収用部材と、前記筐体の前記２つの側面を覆うとともに、前記光隔離用部材よりも前記撮影ブース内側に設けられた第１の光散乱用部材と、前記第１の光散乱用部材と傾斜して設けられ、前記天井面から前記床面まで伸びる第２の光散乱用部材とを備え、前記第１の光散乱用部材と前記第２の光散乱用部材とで挟まれた空間に撮影用光源が設けられていることを特徴とする。
【０００７】
即ち、本考案では、撮影ブースの筐体が、複数の柱状部材を組み立てることにより得られるので、撮影ブースの組立又は解体が容易である。また、筐体の２つの側面を覆うとともに、光隔離用部材よりも撮影ブース内側に設けられた第１の光散乱用部材と、第１の光散乱用部材と傾斜して設けられ、天井面から床面まで伸びる第２の光散乱用部材とを備えるため、撮影用光源からの光が、第１の光散乱用部材及び第２の光散乱用部材によって撮影ブース内へ散乱される。それによって、撮影用光源からの光を撮影ブース内に均一に拡散し、被写体の顔部に均一な光が照射される。さらに、光散乱用部材を平行して設置するだけでなく、斜めに設置することによって、立体的な被写対象の場合、光が届きにくいところでの影の形成がないようにすることができる。
【０００８】
また、本考案に係る撮影ブースは、前記筐体に掛かられたグレーカード板と、前記撮影ブース内に設けられ、前記被写体の顔部を位置付けるためのチンレスト部材とを、さらに備えることが好ましい。
【０００９】
本考案に係る撮影ブースは、前記光隔離用部材は、黒色の布からなり、前記光吸収用部材は、灰色の布からなり、前記第１の光散乱用部材及び前記第２の光散乱用部材が、白色の布からなることが好ましい。この場合、簡易な構成材料で光隔離用部材、光吸収用部材及び光散乱用部材が得られる。なお、光隔離用部材、光吸収用部材、光散乱用部材は本考案の効果が実現できる範囲でいかなるものでもよいが、携帯性から考えると、不織布、化繊、綿等の布が好ましい。また、オリジナルな光源の色を変更させないため、彩度の少ないものが好ましい。具体的には、光隔離用部材は、隔離効果のため黒色の布からなり、光吸収用部材は、吸収効果のため灰色の布からなり、第１の光散乱用部材及び前記第２の光散乱用部材は、均一な散乱効果を得るため、白色の布からなることが好ましい。
【００１０】
本考案に係る撮影ブースは、前記光隔離用部材の前記撮影ブース内側の表面に光反射層が形成されていることが好ましい。この場合、光隔離用部材に入射した光が、光反射層によって光散乱用部材に反射され、そして、光散乱用部材によって撮影ブース内に散乱されるので、被写体の顔部により均一な光が照射される。
【００１１】
本考案に係る撮影ブースは、前記撮影用光源は、クランプ式照明ランプであり、クランプを介して前記筐体に固定されていることが好ましい。この場合、大型且つ専門の光源アセンブリーではなく、普通の照明ランプであっても、被写体の顔部に均一な光を照射できる。
【００１２】
本考案に係る撮影ブースは、前記撮影用光源は、光源用ホルダーと前記光源用ホルダーに固定されている照明ランプとを備えることが好ましい。この場合、大型且つ専門の光源アセンブリーではなく、普通の照明ランプであっても、被写体の顔部に均一な光を照射できる。
【００１３】
本考案に係る撮影ブースは、前記複数の柱状部材のうちの接合する２つの柱状部材は、一方の柱状部材の端部が他方の柱状部材に設けられた溝に嵌入されるように、互いに固定されていることが好ましい。この場合、撮影ブースの組立又は解体がより容易である。
【００１４】
本考案に係る撮影ブースは、前記筐体は、複数の補強柱状部材をさらに備え、前記補強柱状部材が、前記筐体の前記天井面、前記背面、及び前記２つの側面の略中央に設けられ、前記補強柱状部材は、前記補強柱状部材の端部が前記柱状部材に設けられた溝に嵌入されるように前記筐体に固定されていることが好ましい。この場合、補強柱状部材によって、筐体全体の強度を増加する。
【００１５】
本考案に係る撮影ブースは、前記柱状部材及び前記補強柱状部材が、中空であることが好ましい。この場合、撮影ブースの構成部品の軽量化を実現できる。
【００１６】
本考案に係る撮影ブースは、前記柱状部材及び前記補強柱状部材が、アルミニウムからなることが好ましい。この場合、アルミニウムを使用することにより、撮影ブースの構成部品の軽量化を実現できる。
【００１７】
本考案に係る撮影ブースは、撮影用光源からの光を撮影ブース内に均一に拡散し、被写体の顔部に均一な光を照射することができる観点から、前記光吸収用部材が、１０〜３０％の光反射率を有することが好ましい。
【００１８】
本考案に係る撮影ブースは、前記光吸収用部材が、１８％の光反射率を有することがより好ましい。
【考案の効果】
【００１９】
本考案によれば、簡易な構成で被写体の顔部に均一な光を照射し、品質の高い顔写真が容易に取得でき、組立又は解体が容易である携帯式の撮影ブースを提供することができる。
【図面の簡単な説明】
【００２０】
【図１】図１は、本考案の一の実施形態に係る撮影ブースの概略構成を示す斜視図である。
【図２】図２は、本考案の一の実施形態に係る撮影ブースの概略構成を示す上面図である。
【図３】図３は、本考案の一の実施形態に係る撮影ブースの天井面及び背面の構成を示す断面図である。
【図４】図４は、本考案の一の実施形態に係る撮影ブースの天井面及び背面の構成の変形例を示す断面図である。
【図５】図５は、本考案の一の実施形態に係る撮影ブースの２つの側面の構成を示す断面図である。
【図６】図６は、本考案の一の実施形態に係る撮影ブースの２つの側面の構成の変形例を示す断面図である。
【図７】図７は、本考案の一の実施形態に係る撮影ブースの床面の構成を示す断面図である。
【図８】図８は、本考案の他の実施形態に係る撮影ブースの概略構成を示す斜視図である。
【図９】図９は、本考案で用いることができる撮影方法のステップを示すフロー図である。
【図１０】図１０は、本考案で用いることができる撮影方法により得られた画像における複数の領域を示す図である。
【考案を実施するための形態】
【００２１】
以下、図面を参照して、本考案の実施形態について詳細に説明する。なお、各図面において同一又は相当の部分に対しては同一の符号を附すこととする。
【００２２】
（実施形態１）
図１は、本考案の一の実施形態に係る撮影ブースの概略構成を示す斜視図である。図２は、本考案の一の実施形態に係る撮影ブースの概略構成を示す上面図である。図３は、本考案の一の実施形態に係る撮影ブースの天井面及び背面の構成を示す断面図である。図４は、本考案の一の実施形態に係る撮影ブースの天井面及び背面の構成の変形例を示す断面図である。図５は、本考案の一の実施形態に係る撮影ブースの２つの側面の構成を示す断面図である。図６は、本考案の一の実施形態に係る撮影ブースの２つの側面の構成の変形例を示す断面図である。図７は、本考案の一の実施形態に係る撮影ブースの床面の構成を示す断面図である。
【００２３】
図１〜図７に示されるように、撮影ブース１は、被写体を収容する撮影ブースであり、筐体１０と光隔離用部材２０と光吸収用部材３０と第１の光散乱用部材４０と第２の光散乱用部材５０とグレーカード板６０とチンレスト部材７０とを備える。
【００２４】
筐体１０は、複数の細い柱状（棒状）部材１０ａを組み立ててなり、略直方体状（例えば、長Ｌ×幅Ｗ×高Ｈ＝1.8m×1.8m×1.8m）に形成されており、天井面Ｓ１と、背面Ｓ２と、２つの側面Ｓ３と、床面Ｓ４とを有する。
【００２５】
ここで、柱状部材１０ａは、アルミニウムからなることが好ましい。この場合、アルミニウムを使用することにより、撮影ブースの構成部品の軽量化を実現できる。なお、柱状部材の材料としては、一定の剛度を有する材料であれば、アルミニウム以外の材料、例えば鉄などの金属材料、又は樹脂材料等も使用される。なお、柱状部材は、中空であってもよく、中が詰まっていてもよく、撮影ブースの構成部品の軽量化の観点から、中空であることが好ましい。
【００２６】
光隔離用部材２０は、筐体１０の天井面Ｓ１、背面Ｓ２、及び２つの側面Ｓ３を覆って、撮影ブース１外の光の撮影ブース１内への入射を防止するものである。光隔離用部材の材料としては、黒色の布からなることが好ましい。この場合、簡易な構成材料で光隔離用部材が得られる。
【００２７】
光吸収用部材３０は、筐体１０の天井面Ｓ１、筐体１０の床面Ｓ４、及び筐体１０の背面Ｓ２を覆うとともに、光隔離用部材２０よりも撮影ブース１内側に設けられたものである。また、図３に示されるように、光吸収用部材３０は、光隔離用部材２０に当接されるように設置されているが、これに限定されることなく、図４に示されるように、光吸収用部材３０は、光隔離用部材２０に間隔をおいて設置されていてもよい。光吸収用部材の材料としては、灰色の布からなることが好ましい。この場合、簡易な構成材料で光吸収用部材が得られる。
【００２８】
なお、光吸収用部材は、光吸収特性を有する部材であるが、撮影用光源からの光を撮影ブース内に均一に拡散し、被写体の顔部に均一な光を照射することができる観点から、ある程度の光反射特性を有してもよく、例えば、１０〜３０％の光反射率を有することが好ましく、１８％の光反射率を有することがより好ましい。
【００２９】
第１の光散乱用部材４０は、筐体１０の２つの側面Ｓ３を覆うとともに、光隔離用部材２０よりも撮影ブース１内側に設けられたものである。第１の光散乱用部材の材料としては、白色の布からなることが好ましい。この場合、簡易な構成材料で第１の光散乱用部材が得られる。
【００３０】
第２の光散乱用部材５０は、第１の光散乱用部材４０と傾斜して設けられ、天井面Ｓ１から床面Ｓ４まで伸びるものである。第２の光散乱用部材の材料としては、第１の光散乱用部材と同様に、白色の布からなることが好ましい。
【００３１】
なお、光隔離用部材、光吸収用部材、光散乱用部材は本考案の効果が実現できる範囲でいかなるものでもよいが、携帯性から考えると、不織布、化繊、綿等の布が好ましい。また、オリジナルな光源の色を変更させないため、彩度の少ないものが好ましい。具体的には、光隔離用部材は、隔離効果のため黒色の布からなり、光吸収用部材は、吸収効果のため灰色の布からなり、第１の光散乱用部材及び前記第２の光散乱用部材は、均一な散乱効果を得るため、白色の布からなることが好ましい。
【００３２】
グレーカード板６０は、筐体１０に掛けられる。具体的には、グレーカード板６０は、連結部材を介して筐体１０に固定される。
【００３３】
チンレスト部材７０は、撮影ブース１内に設けられ、被写体の顔部を位置付けるためのものである。本実施形態では、チンレスト部材７０は、撮影ブース１内のテーブル９０上に設置されている。
【００３４】
以上により、本実施形態では、撮影ブースの筐体が、複数の柱状部材を組み立てることにより得られるので、撮影ブースの組立又は解体が容易である。また、筐体の２つの側面を覆うとともに、光隔離用部材よりも撮影ブース内側に設けられた第１の光散乱用部材と、第１の光散乱用部材と傾斜して設けられ、天井面から床面まで伸びる第２の光散乱用部材とを備えるため、撮影用光源からの光が、第１の光散乱用部材及び第２の光散乱用部材によって撮影ブース内へ散乱される。それによって、撮影用光源からの光が撮影ブース内に均一に拡散され、被写体の顔部に均一な光が照射される。さらに、光散乱用部材を平行に設置するだけでなく、斜めに設置することによって、立体的な被写対象の場合、光が届きにくいところでの影の形成がないようにすることができる。
【００３５】
また、本実施形態では、光隔離用部材２０の撮影ブース１内側の表面に光反射層２０Ａが形成されていることが好ましい。この場合、光隔離用部材に入射した光が、光反射層によって光散乱用部材に反射され、そして、光散乱用部材によって撮影ブース内に散乱されるので、被写体の顔部により均一な光が照射される。ここで、光反射層は、光隔離用部材の表面にアルミニウムをコーティングさせることにより得られるものである。
【００３６】
図５に示されるように、第１の光散乱用部材４０は、光隔離用部材２０の光反射層２０Ａに当接されるように設置されているが、これに限定されることなく、図６に示されるように、第１の光散乱用部材４０は、光隔離用部材２０の光反射層２０Ａに間隔をおいて設置されていてもよい。
【００３７】
第１の光散乱用部材４０と第２の光散乱用部材５０とで挟まれた空間ＳＰに撮影用光源８０が設けられている。撮影用光源８０は、クランプ式照明ランプであり、クランプを介して筐体１０に固定されていてもよい。又は、撮影用光源８０は、光源用ホルダーと光源用ホルダーに固定されている照明ランプとを備えていてもよい。それらの場合、大型且つ専門の光源アセンブリーではなく、普通の照明ランプであっても、被写体の顔部に均一な光を照射できる。
【００３８】
本実施形態では、複数の柱状部材１０ａのうちの接合する２つの柱状部材は、一方の柱状部材の端部が他方の柱状部材に設けられた溝に嵌入されるように、互いに固定されていることが好ましい。この場合、撮影ブースの組立又は解体がより容易である。
【００３９】
図９は、本考案で用いることができる撮影方法のステップを示すフロー図である。図１０は、本考案で用いることができる撮影方法により得られた画像における複数の領域を示す図である。
【００４０】
以下、図９及び図１０を参照して、本考案の撮影ブースを用いた撮影方法について説明する。
本実施形態に係る撮影方法は、上記の撮影ブース１を使用し、被写体の顔部を撮影する撮影方法であって、グレーカードをグレーカード６０板に配置するステップと、撮影用光源８０をグレーカード板６０に向けて照射して、撮影ブース１の前方に配置された撮影機１００を使用して、グレーカードを撮影するステップと、撮影機１００により取得された画像Ｐにおける複数の領域Ｐm,nのＲＧＢ値を対比するステップと、画像Ｐにおける複数の領域Ｐm,nのＲＧＢ値を一致させるように撮影用光源８０を調整するステップと、被写体の顔部をチンレスト部材７０に位置するように被写体の顔部を撮影するステップとを有する。
【００４１】
即ち、まず、グレーカードをグレーカード板６０に配置する。
次に、撮影用光源８０をグレーカード板６０に向けて照射して、撮影ブース１の前方に配置された撮影機１００を使用して、グレーカードを撮影する。
【００４２】
次に、撮影機１００により取得された画像Ｐにおける複数の領域Ｐm,nのＲＧＢ値を対比する。複数の領域Ｐm,nのＲＧＢ値が一致するかどうかを判定する。複数の領域Ｐm,nのＲＧＢ値が不一致である場合、撮影用光源８０を調整し、グレーカードを再度撮影し、取得された画像における複数の領域Ｐm,nのＲＧＢ値を再度対比する。
【００４３】
複数の領域Ｐm,nのＲＧＢ値が一致する場合、被写体の顔部をチンレスト部材７０に位置させるように被写体の顔部を撮影する。
【００４４】
ここで、グレーカードとして、１８％グレーカード（Kodark Co.製）が使用される。
【００４５】
また、図１０に示されるように、複数の領域Ｐm,nは、等間隔に配置されて、３行３列のマトリックス状に形成されている。なお、本実施形態では、mが１〜３の自然数であり、nが１〜３の自然数である。
【００４６】
なお、本実施形態では、画像Ｐにおいて、３行３列の領域が形成されているが、M行N列（M＝２、４、５…、N＝２、４、５…）の領域が形成されていてもよい。
【００４７】
本実施形態では、グレーカードをグレーカード板に配置させるステップの前に、第１の光散乱用部材及び第２の光散乱用部材により散乱光を作り撮影ブース中に広がらせるステップをさらに含んでいてもよい。
【００４８】
（実施形態２）
図８は、本発明の他の実施形態に係る撮影ブースの概略構成を示す斜視図である。本実施形態に係る撮影ブース１’は、筐体が、複数の補強柱状部材１０ｂをさらに備え、補強柱状部材１０ｂが、筐体の天井面、背面、及び２つの側面の略中央に設けられ、補強柱状部材１０ｂは、補強柱状部材１０ｂの端部が柱状部材１０ａに設けられた溝に嵌入されるように筐体に固定されていること以外に、実施形態１に係る撮影ブース１の構成と同様なものである。
本実施形態では、補強柱状部材によって、筐体全体の強度を増加する。
【００４９】
また、補強柱状部材は、アルミニウムからなることが好ましい。この場合、アルミニウムを使用することにより、撮影ブースの構成部品の軽量化を実現できる。
【００５０】
なお、実施形態１に係る撮影方法と同様に、撮影ブース１’を使用し、被写体の顔部を撮影できる。
【００５１】
本考案は上記の実施形態に限定されることなく、本考案の趣旨を逸脱しない範囲で種々の変形が可能である。
【符号の説明】
【００５２】
１、１’  撮影ブース
１０      筐体
２０      光隔離用部材
３０      光吸収用部材
４０      第１の光散乱用部材
５０      第２の光散乱用部材
６０      グレーカード板
７０      チンレスト部材
８０      撮影用光源
１００    撮影機
１０ａ    柱状部材
１０ｂ    補強柱状部材
【図１】
0003186163.tif 000003
【図２】
0003186163.tif 000004
【図３】
0003186163.tif 000005
【図４】
0003186163.tif 000006
【図５】
0003186163.tif 000007
【図６】
0003186163.tif 000008
【図７】
0003186163.tif 000009
【図８】
0003186163.tif 000010
【図９】
0003186163.tif 000011
【図１０】
0003186163.tif 000012